(57)【要約】【課題】  設置場所や設置条件に応じて機能の最適化を図ることが可能な帯電ブラシ、帯電ユニット、トナーカートリッジ、現像装置及び画像形成装置を提供する。【解決手段】本発明の帯電ブラシ１０は、電子写真プロセスにおいて用いられる潜像担持体の表面を帯電させるシート状のものであって、基材１１と、基材１１上に設けられた接着剤層１２と、接着剤層１２に植毛された複数のブラシ毛１３からなるブラシ部１４とを備え、基材１１の下方には、基材１１を押圧する第１弾性部材１６と第２弾性部材１７が設けられている。【選択図】  図１
2016161902.tif 000002
【特許請求の範囲】
【請求項１】
電子写真プロセスにおいて用いられる潜像担持体の表面を帯電させるシート状の帯電ブラシであって、
基材と、
前記基材上に設けられた接着剤層と、
前記接着剤層に植毛された複数のブラシ毛からなるブラシ部とを備え、
前記基材の下方には、当該基材を押圧する押圧部材が設けられており、
前記押圧部材は、前記基材に対する面内での押圧力を連続的又は段階的に異ならせることにより、前記ブラシ毛による前記潜像担持体への押圧力を、面内において連続的又は段階的に変化させている帯電ブラシ。
【請求項２】
前記ブラシ部は、
前記潜像担持体の回転方向の上流側で付着物を除去するクリーニング領域と、
前記クリーニング領域に隣接し、前記潜像担持体の回転方向の下流側で当該潜像担持体の表面を帯電させる帯電領域とを有し、
前記押圧部材は、
前記クリーニング領域のブラシ毛を前記潜像担持体に押圧させる第１弾性部材と、
前記帯電領域のブラシ毛を前記潜像担持体に押圧させる第２弾性部材とからなり、
前記第１弾性部材による前記クリーニング領域のブラシ毛への押圧力が、前記第２弾性部材による前記帯電領域のブラシ毛への押圧力よりも小さい請求項１に記載の帯電ブラシ。
【請求項３】
前記ブラシ毛の高さは略均一であり、
前記第１弾性部材及び第２弾性部材は長手方向に延在する同一のスポンジ状材料からなり、第１弾性部材の高さは第２弾性部材の高さよりも低い請求項２に記載の帯電ブラシ。
【請求項４】
前記ブラシ部は、
前記潜像担持体の回転方向の上流側で付着物を除去するクリーニング領域と、
前記クリーニング領域に隣接し、前記潜像担持体の回転方向の下流側で当該潜像担持体の表面を帯電させる帯電領域とを有し、
前記押圧部材は、
前記クリーニング領域のブラシ毛を前記潜像担持体に押圧させる第１弾性部材と、
前記帯電領域のブラシ毛を前記潜像担持体に押圧させる第２弾性部材とからなり、
前記第１弾性部材による前記クリーニング領域のブラシ毛への押圧力が、前記第２弾性部材による前記帯電領域のブラシ毛への押圧力よりも大きい請求項１に記載の帯電ブラシ。
【請求項５】
前記ブラシ毛の高さは略均一であり、
前記第１弾性部材及び第２弾性部材は長手方向に延在する同一のスポンジ状材料からなり、第１弾性部材の高さは第２弾性部材の高さよりも高い請求項４に記載の帯電ブラシ。
【請求項６】
請求項１〜５の何れか１項に記載の帯電ブラシを備えた帯電ユニットであって、トナーカートリッジ、現像装置又は画像形成装置に着脱自在に設けられた帯電ユニット。
【請求項７】
請求項１〜５の何れか１項に記載の帯電ブラシを一体的に備えたトナーカートリッジであって、画像形成装置に着脱自在に設けられたトナーカートリッジ。
【請求項８】
請求項１〜５の何れか１項に記載の帯電ブラシを一体的に備えた現像装置であって、画像形成装置に着脱自在に設けられた現像装置。
【請求項９】
請求項６に記載の帯電ユニット、請求項７に記載のトナーカートリッジ又は請求項８に記載の現像装置を備えた画像形成装置。
【発明の詳細な説明】
【技術分野】
【０００１】
本発明は、例えば、電子写真方式を採用した画像形成装置に適用することが可能な帯電ブラシ、帯電ユニット、トナーカートリッジ、現像装置及び画像表示装置に関するものである。
【背景技術】
【０００２】
一般に、電子写真方式を採用した画像形成装置に於いては、潜像担持体の表面を一様に帯電させるために帯電ブラシ等が設けられており、当該帯電ブラシとしては、例えば、ロール状の帯電ブラシが知られている（下記、特許文献１参照）。そして、画像形成装置については、近年、その小型化が進んでおり、それに伴って帯電ブラシの小型化も望まれている。しかし、ロール状の帯電ブラシであると、小型化による省スペース化が困難な上、ゴムロールの帯電ブラシの場合には、さらにクリーナー部材も必要となる。そのため、従来のロール状帯電ブラシにおいては、その設置場所や設置条件に制限がかかるが、当該設置場所等に影響を受けることなく、必要とされる帯電ブラシの性能を発揮するのは困難となっている。
【０００３】
また、従来の帯電ブラシとしては、シート状の帯電ブラシも知られている。シート状の帯電ブラシとしては、例えば、パイル糸がＷ織りで基布に織り込まれ、当該パイル糸を構成する繊維同士が広がって起毛しブラシ毛を構成した帯電ブラシがある（下記特許文献２）。しかし、シート状の帯電ブラシであっても、設置場所や設置条件に関わりなく、必要とされる帯電ブラシの性能を発揮させるのは困難である。
【先行技術文献】
【特許文献】
【０００４】
【特許文献１】特開平８−１０１５５９号公報
【特許文献２】特開平５−１７３４０２号公報
【発明の概要】
【発明が解決しようとする課題】
【０００５】
本発明は、前記従来の問題点に鑑みなされたものであって、その目的は、設置場所や設置条件に応じて機能の最適化を図ることが可能な帯電ブラシ、帯電ユニット、トナーカートリッジ、現像装置及び画像形成装置を提供することにある。
【課題を解決するための手段】
【０００６】
本発明の帯電ブラシは、前記課題を解決するために、電子写真プロセスにおいて用いられる潜像担持体の表面を帯電させるシート状の帯電ブラシであって、基材と、前記基材上に設けられた接着剤層と、前記接着剤層に植毛された複数のブラシ毛からなるブラシ部とを備え、前記基材の下方には、当該基材を押圧する押圧部材が設けられており、前記押圧部材は、前記基材に対する面内での押圧力を連続的又は段階的に異ならせることにより、前記ブラシ毛による前記潜像担持体への押圧力を、面内において連続的又は段階的に変化させていることを特徴とする。
【０００７】
前記の構成によれば、前記基材の下方に押圧部材を設けて押圧力を加え、これにより、ブラシ毛が潜像担持体に対し押圧する様に構成されている。また、押圧部材の押圧力は、基材に対し面内で連続的又は段階的に異ならせているので、潜像担持体に対するブラシ毛の押圧も、面内において連続的又は段階的に異ならせることができる。その結果、ブラシ部の機能を面内において異ならせることが可能になり、設置場所・条件に応じて機能の最適化を図ることが可能な帯電ブラシを提供することができる。
【０００８】
例えば、押圧部材による押圧力を大きくして、ブラシ毛の潜像担持体に対する押圧力を大きくした領域では、潜像担持体の表面に付着している未転写の残トナーやトナーへの外添剤などを掻き取り除去する機能、すなわち、クリーニング機能を向上させることができる。また、前記残トナーに対する電荷注入の性能も向上させることができる。その一方、押圧部材による押圧力を小さくして、ブラシ毛の潜像担持体に対する押圧力を小さくした領域では、残トナーや外添剤を捕集して収容する性能を向上させることができる。
【０００９】
また、ブラシ毛は、低湿度環境においては、その毛先から電界が集中し易く、これにより異常放電が生じる場合がある。その結果、画像上に白点や白い筋が発生するという問題がある。しかしながら、前記の構成では、弾性部材によりブラシ毛が押圧されて潜像担持体に圧接するので、当該ブラシ毛の毛先を潜像担持体の表面に傾斜させて接触させることができる。その結果、異常放電の発生を低減し、印刷画像に白点や白い筋が発生するのを抑制することができる。
【００１０】
さらに、本発明の帯電ブラシはシート状であり、潜像担持体表面に即して設けることができ、しかも設置場所の制限がないため、ロール状の帯電ブラシと比較して省スペース化が図れる。さらに、本発明の帯電ブラシは、基材上の接着剤層に複数のブラシ毛が植毛された構成であるので、ブラシ毛の長さを短くしても、潜像担持体表面に接触させるブラシ毛の密度が実質的に低下することがない。その結果、例えば、パイル織り生地構造の帯電ブラシと比較して、ブラシ毛の長さを短くしても、クリーニング性能や帯電性能を維持することができる。これにより、一層の省スペース化が可能になる。
【００１１】
前記の構成に於いて、前記ブラシ部は、前記潜像担持体の回転方向の上流側で付着物を除去するクリーニング領域と、前記クリーニング領域に隣接し、前記潜像担持体の回転方向の下流側で当該潜像担持体の表面を帯電させる帯電領域とを有し、前記押圧部材は、前記クリーニング領域のブラシ毛を前記潜像担持体に押圧させる第１弾性部材と、前記帯電領域のブラシ毛を前記潜像担持体に押圧させる第２弾性部材とからなり、前記第１弾性部材による前記クリーニング領域のブラシ毛への押圧力が、前記第２弾性部材による前記帯電領域のブラシ毛への押圧力よりも小さいことが好ましい。
【００１２】
前記の構成によれば、ブラシ部は、潜像担持体の回転方向の上流側にクリーニング領域を有し、さらに、当該クリーニング領域と隣接して下流側に帯電領域を有している。そして、クリーニング領域では、ブラシ毛の潜像担持体に対する押圧力が、帯電領域のブラシ毛の潜像担持体に対する押圧力よりも小さいので、当該クリーニング領域での残トナーやトナーへの外添剤を捕集して収容する性能を向上させることができ、帯電領域での残トナー等による汚染を低減することができる。また、クリーニング領域における潜像担持体への機械的ストレスの低減も図れるので、当該潜像担持体の長寿命化が図れる。
【００１３】
前記の構成に於いては、前記ブラシ毛の高さは略均一であり、前記第１弾性部材及び第２弾性部材は長手方向に延在する同一のスポンジ状材料からなり、第１弾性部材の高さは第２弾性部材の高さよりも低いことが好ましい。これにより、第１弾性部材による押圧力を第２弾性部材による押圧力よりも小さくすることが可能になる。
【００１４】
また、前記の構成に於いて、前記ブラシ部は、前記潜像担持体の回転方向の上流側で付着物を除去するクリーニング領域と、前記クリーニング領域に隣接し、前記潜像担持体の回転方向の下流側で当該潜像担持体の表面を帯電させる帯電領域とを有し、前記押圧部材は、前記クリーニング領域のブラシ毛を前記潜像担持体に押圧させる第１弾性部材と、前記帯電領域のブラシ毛を前記潜像担持体に押圧させる第２弾性部材とからなり、前記第１弾性部材による前記クリーニング領域のブラシ毛への押圧力が、前記第２弾性部材による前記帯電領域のブラシ毛への押圧力よりも大きいことが好ましい。
【００１５】
前記の構成によれば、ブラシ部は、潜像担持体の回転方向の上流側にクリーニング領域を有し、さらに、当該クリーニング領域と隣接して下流側に帯電領域を有している。そして、クリーニング領域では、ブラシ毛の潜像担持体に対する押圧力が、帯電領域のブラシ毛の潜像担持体に対する押圧力よりも大きいので、潜像担持体表面に付着している残トナーや外添剤等の付着物を掻き取り、除去する機能に優れる。その結果、下流側での残トナー等による汚染の低減が図れる。また、クリーニング領域におけるブラシ毛の押圧力を大きくすることにより、クリーニング領域での前記残トナー等に対する電荷注入の性能も向上させることができる。ここで、電荷注入された残トナー等はブラシ部と同一の電荷極性であるので、下流側の帯電領域においては残トナー等の付着量を抑制することができる。その結果、ブラシ部の帯電性能の低下を抑制することができる。
【００１６】
前記の構成に於いては、前記ブラシ毛の高さは略均一であり、前記第１弾性部材及び第２弾性部材は長手方向に延在する同一のスポンジ状材料からなり、第１弾性部材の高さは第２弾性部材の高さよりも高いことが好ましい。これにより、第１弾性部材による押圧力を第２弾性部材による押圧力よりも大きくすることが可能になる。
【００１７】
本発明の帯電ユニットは、前記の課題を解決する為に、前記に記載の帯電ブラシを備えた帯電ユニットであって、トナーカートリッジ、現像装置又は画像形成装置に着脱自在に設けられたことを特徴とする。
【００１８】
本発明のトナーカートリッジは、前記の課題を解決する為に、前記に記載の帯電ブラシを一体的に備えたトナーカートリッジであって、画像形成装置に着脱自在に設けられたことを特徴とする。
【００１９】
本発明の現像装置は、前記の課題を解決する為に、前記に記載の帯電ブラシを一体的に備えた現像装置であって、画像形成装置に着脱自在に設けられたことを特徴とする。
【００２０】
本発明の画像形成装置は、前記の課題を解決する為に、前記に記載の帯電ユニット、前記に記載のトナーカートリッジ又は前記に記載の現像装置を備えたことを特徴とする。
【発明の効果】
【００２１】
本発明は、前記に説明した構成により、以下に述べるような効果を奏する。
すなわち、本発明の帯電ブラシによれば、基材の下方に押圧部材を設けて押圧力を加え、これにより、ブラシ毛が潜像担持体に対し押圧する様に構成されている。また、押圧部材の押圧力は、基材に対し面内で連続的又は段階的に異ならせているので、潜像担持体に対するブラシ毛の押圧も、面内において連続的又は段階的に異ならせることができる。その結果、ブラシ部の機能を面内において異ならせることが可能になり、設置条件に応じて機能の最適化を図ることが可能な帯電ブラシを提供することができる。
【００２２】
しかも、押圧部材によりブラシ毛を潜像担持体に圧接させるので、当該ブラシ毛の毛先を潜像担持体の表面に傾斜させて接触させることができ、その結果、異常放電の発生を低減し、印刷画像に白点や白い筋が発生するのを抑制して、画質の向上が図れる。
【００２３】
また、本発明の帯電ブラシはシート状であるので、例えば、ロール状の帯電ブラシと比較して省スペース化・小型化が図れる。しかも、基材上の接着剤層に複数のブラシ毛が植毛された構成であるので、ブラシ毛の長さを短くしても、潜像担持体表面に接触させるブラシ毛の密度が実質的に低下することがない。さらに、パイル織り生地構造のシート状の帯電ブラシと比較して、ブラシ毛の長さを短くしても、クリーニング性能や帯電性能を維持することができる。その結果、省スペース化・小型化が可能な帯電ブラシ、帯電ユニット、トナーカートリッジ、現像装置及び画像形成装置を提供することができる。
【図面の簡単な説明】
【００２４】
【図１】本発明の実施の形態に係る帯電ブラシを模式的に表す斜視図である。
【図２】前記帯電ブラシを画像形成装置に実装する場合の態様を模式的に表す斜視図である。
【図３】前記帯電ブラシを画像形成装置に実装する場合の他の態様を模式的に表す斜視図である。
【図４】前記帯電ブラシを備えた画像形成装置における画像形成部の構造を模式的に示す正面図であって、同図（ａ）は帯電ブラシが現像装置に接続されている場合を表し、同図（ｂ）は帯電ブラシが現像装置に設けられたトナーカートリッジに接続されている場合を表す。
【図５】本発明の他の実施の形態に係る帯電ブラシを表す側面図である。
【図６】前記帯電ブラシを画像形成装置に実装する場合の他の態様を模式的に表す斜視図である。
【発明を実施するための形態】
【００２５】
（実施の形態１）
＜帯電ブラシ＞
本実施の形態１の帯電ブラシについて、図１に基づき以下に説明する。図１は、本実施の形態１に係る帯電ブラシを模式的に表す斜視図である。図２は、前記帯電ブラシを模式的に表す説明図である。
【００２６】
図１に示すように、本実施の形態の帯電ブラシ１０は、基材１１上に設けられた接着剤層１２と、前記接着剤層１２に複数のブラシ毛１３が植毛されたブラシ部１４とを備えるシート状のブラシである。また、図２に示すように、基材１１の接着剤層１２とは反対側には、押圧部材としての第１弾性部材１６及び第２弾性部材１７が長手方向に延在して位置する様に設けられている。
【００２７】
帯電ブラシ１０はシート状であるので、従来のロール状の帯電ブラシと比較して、ブラシ毛１３が潜像担持体に接触する面積を拡大することができる。そのため、本実施の形態の帯電ブラシ１０が有しているクリーニング機能及び帯電機能の向上が図れる。帯電ブラシ１０の長手方向の長さは特に限定されず、潜像担持体の大きさ等に応じて適宜設定することができる。また、帯電ブラシ１０の短手方向の幅は、潜像担持体表面にブラシ毛１３を接触させたい接触面積に応じて設定される。通常は、５ｍｍ〜１００ｍｍの範囲内が好ましく、１０ｍｍ〜５０ｍｍの範囲内がより好ましく、２０ｍｍ〜３０ｍｍの範囲内が特に好ましい。
【００２８】
前記基材１１としては特に限定されず、例えば、ポリプロピレン、ＡＢＳ（アクリルニトリル−ブタジエン−スチレン）樹脂、ポリスチレン、ポリエチレン、メラミン樹脂、フェノール樹脂、シリコーン樹脂、ナイロン樹脂等のポリアミド樹脂、ポリブチレンテレフタレート、ポリフェニレンエーテル、ポリフェニレンサルファイド、ポリエーテルスルホン、ポリカーボネート、ポリイミド、ポリアミドイミド、ポリエーテルイミド、ポリスルホン、ポリエーテルエーテルケトン、ポリエチレンテレフタレート、ポリアリレート、金属等からなるものが挙げられる。
【００２９】
基材１１の長手方向の長さ及び短手方向の幅は、潜像担持体や帯電ブラシ１０の大きさ等に応じて適宜設定することができる。また、基材１１の厚さは特に限定されないが、通常は１０μｍ〜３００μｍの範囲内であり、好ましくは３０μｍ〜２００μｍ、より好ましくは５０μｍ〜１５０μｍである。
【００３０】
接着剤層１２の構成材料としては特に限定されず、例えば、アクリル樹脂、酢酸ビニル、ポリウレタン、合成ゴムおよび天然ゴム等を主成分とする接着剤等により構成される。
【００３１】
また、前記接着剤層１２には、これに導電性を付与するために任意の導電性材料を含有させて導電性接着剤層としてもよい。前記導電性材料としては特に限定されず、例えば、金属、カーボン（炭素）等の導電性粉末が挙げられる。さらに、前記金属の導電性粉末としては特に限定されず、例えば、Ａｇ、Ｐｔ、Ａｕ等の貴金属の粉末や、Ｃｕ、Ｎｉ、Ｆｅ、Ｃｒ、Ｃｏ、Ａｌ、Ｓｂ、Ｍｏ等の金属若しくはこれらの合金、又は酸化物の粉末が挙げられる。また、カーボンの導電性粉末としては特に限定されず、例えば、カーボンブラックや炭素繊維、グラファイト粒子等が挙げられる。これらの導電性材料は１種単独で、又は２種以上を併用してもよい。尚、接着剤層１２に導電性材料を添加する場合の添加量としては特に限定されず、適宜必要に応じて設定することができる。
【００３２】
前記接着剤層１２の厚さとしては特に限定されず、通常は５０μｍ〜６００μｍの範囲内であり、好ましくは１００μｍ〜５００μｍ、より好ましくは１５０μｍ〜３００μｍである。接着剤層１２の厚さを５０μｍ以上にすることにより、帯電ブラシ１０の良好な形状安定性が図れる。また、接着剤層１２の厚さを６００μｍ以下にすることにより、ブラシ毛１３を植毛した際に、いわゆる接着剤の染み上がりを防止することができる。接着剤層１２の厚さが大き過ぎるとブラシ毛１３を接着剤層１２に植毛した際に、植毛された部分の接着剤が毛細管現象により上昇し、植毛された部分の周辺領域では接着剤層の厚みが薄くなることがある。しかしながら、接着剤層１２の厚さを６００μｍ以下にすることにより、植毛されたブラシ毛１３に対する染み上がりを防止することができ、塗布された接着剤の乾燥後において、接着剤層が形成されていない部分が発生するのを防止することができる。
【００３３】
ブラシ部１４は、後述の潜像担持体の回転方向の上流側に位置するクリーニング領域１４ａと、当該クリーニング領域１４ａに隣接し、潜像担持体の回転方向の下流側に位置する帯電領域１４ｂとからなる。クリーニング領域１４ａは、潜像担持体の表面に付着している、未転写の残トナーやトナーへの外添剤などを除去する機能を有している。また、帯電領域１４ｂは、クリーニング領域で残トナー等が除去された潜像担持体に対し、その表面を一様に帯電させる機能を有している。尚、クリーニング領域１４ａと帯電領域１４ｂを隣接させることにより、帯電およびクリーニング部材を省スペース化することができる。
【００３４】
クリーニング領域１４ａ及び帯電領域１４ｂは、帯電ブラシ１０の長手方向に延在し、かつ、相互に平行になる様に設けられている。また、クリーニング領域１４ａと帯電領域１４ｂは同一の面積である。但し、本発明はこれに限定されるものではなく、適宜必要に応じてクリーニング領域１４ａと帯電領域１４ｂの面積を異ならせてもよい。例えば、クリーニング領域１４ａを帯電領域１４ｂよりも広くすることで、帯電ブラシ１０のクリーニング機能を向上させたり、あるいは帯電領域１４ｂをクリーニング領域１４ａよりも広くすることで帯電機能を向上させてもよい。
【００３５】
基材１１の接着剤層１２が設けられている面とは反対側の面には、クリーニング領域１４ａに対応するブラシ毛１３を潜像担持体に押圧させるための第１弾性部材１６が設けられている。また、基材１１の接着剤層１２が設けられている面とは反対側の面には、帯電領域１４ｂに対応するブラシ毛１３を潜像担持体に押圧させるための第２弾性部材１７が設けられている。
【００３６】
第１弾性部材１６及び第２弾性部材１７は  図２に示すように、支持部材１５上に固定して設けられている。また、第１弾性部材１６はブラシ部１４のクリーニング領域１４ａに対応し、第２弾性部材１７はブラシ部１４の帯電領域１４ｂに対応するように設けられている。第１弾性部材１６及び第２弾性部材１７の支持部材１５への固定方法は特に限定されず、例えば、前述の接着剤層を用いることができる。さらに、支持部材１５の長手方向における端部は、反対方向に折り返されて、基材１１の上流側の長手方向における端部と接続されている。接続方法としては特に限定されず、例えば、接着剤等に接続可能である。
【００３７】
第１弾性部材１６及び第２弾性部材１７の上面は、基材１１の接着剤層１２が設けられている側とは反対側の面に固定されておらず、自由端となっている。これは、第１弾性部材１６の高さが第２弾性部材１７よりも低いことに起因している。第１弾性部材１６の高さを第２弾性部材１７よりも低くすることにより、クリーニング領域１４ａのブラシ毛１３が潜像担持体を押圧する押圧力を、帯電領域１４ｂのブラシ毛１３が潜像担持体を押圧する押圧力よりも小さくすることができる。尚、支持部材１５において、第１弾性部材１６及び第２弾性部材１７が設けられている面と反対側の面には、これらがブラシ部１４を押圧させるための部材（図示しない）が設けられている。支持部材１５としては、前述の基材１１と同一の材料からなるものや、異なる材料からなるものを用いることができる。
【００３８】
また、第１弾性部材１６と第２弾性部材１７は、相互に離間して設けられている。これにより、部材の弾性・高さの効果を明確にすることができる。但し、本発明はこの態様に限定されるものではなく、第１弾性部材１６及び第２弾性部材１７は、それぞれクリーニング領域１４ａと帯電領域１４ｂに対応する領域に配置されていればよい。また、両者は隣接していてもよい。さらに、第１弾性部材１６及び第２弾性部材１７は、相互に平行になる様に設けられている。
【００３９】
第１弾性部材１６及び第２弾性部材１７を設けることにより、当該第１弾性部材１６及び第２弾性部材１７は各々に対応する領域（即ち、クリーニング領域１４ａ及び帯電領域１４ｂ）のブラシ毛１３をそれぞれ押圧するので、これらのブラシ毛１３の毛先を潜像担持体の表面に傾斜させて接触させることができる。これにより、低湿度環境においても、その毛先から電界が集中して異常放電が発生するのを低減することができる。その結果、異常放電に起因して、画像上に白点や白い筋が発生するのを抑制することができる。尚、本実施の形態で述べる異常放電とは、通常のパッシェン則に従った放電とは異なり、パッシェン則に従った場合よりも放電停止電圧が低いために潜像担持体の帯電電位が高くなってしまうような放電が生じる現象を意味している。
【００４０】
第１弾性部材１６及び第２弾性部材１７は、直方体状の同一のスポンジ状材料からなる。また、第１弾性部材１６及び第２弾性部材１７の短手方向における幅は略同一であり、帯電ブラシ１０の幅やクリーニング領域１４ａ、帯電領域１４ｂの幅に応じて適宜設定される。一方、第１弾性部材１６の高さは、第２弾性部材１７の高さよりも低くなる様に設定されている。これにより、第１弾性部材１６による押圧力を、第２弾性部材１７による押圧力よりも小さくすることができる。尚、スポンジ状材料の形状については特に限定されず、円柱状等のものであってもよい。また、第１弾性部材１６と第２弾性部材１７の形状及び材質は同一であるが、異なっていてもよい。第１弾性部材１６及び第２弾性部材１７はスポンジ状材料からなるものに限定されず、ゴム、合成樹脂等の弾性体からなるものを用いてもよい。さらに、第１弾性部材１６及び第２弾性部材１７の高さは、それぞれが有する弾性力にもよるが、好ましくは１ｍｍ〜１０ｍｍの範囲内であり、より好ましくは２ｍｍ〜８ｍｍの範囲内であり、特に好ましくは４ｍｍ〜７ｍｍの範囲内である。
【００４１】
前記ブラシ毛１３は、接着剤層１２に対し垂直となる様に直毛状態で植毛されていてもよく、任意の角度で傾斜する様に斜毛した状態で植毛されていてもよい。ブラシ毛１３を斜毛した状態で植毛した場合、潜像担持体に対し毛先が向いたブラシ毛の本数を減少させることができるので、これにより、異常放電の発生を抑制することが可能になる。
【００４２】
前記ブラシ毛１３としては、導電性を有するものであれば特に限定されない。導電性を付与する方法としては特に限定されず、例えば、合成繊維内に導電性粒子を分散して含有させる方法が挙げられる。前記合成繊維としては特に限定されず、例えば、ナイロン（登録商標）繊維、アラミド繊維等のポリアミド繊維、ポリエチレンテレフタレート繊維、ポリアリレート繊維等のポリエステル繊維、ポリアクリロニトリル繊維等のアクリル繊維、ポリエチレン繊維、ポリプロピレン繊維等のポリオレフィン繊維、ポリテトラフルオロエチレン繊維等のフッ素繊維等といった合成繊維が挙げられる。また、レーヨン繊維、キュプラ繊維等といった再生繊維、アセテート繊維、トリアセテート繊維等の酢酸セルロース繊維等といった半合成繊維等も含む。更に、麻、綿、羊毛等の天然繊維も挙げられる。更に、ブラシ毛１３は、前記に例示した合成繊維、再生繊維、半合成繊維又は天然繊維のうち、それぞれ１種のみを単独で、又は少なくとも２種以上を混繊して用いてもよい。入手の容易性や、多様な用途に対応した性能を付与しやすいとの観点からは、前記合成繊維から選ばれる少なくとも１種を用いることが好ましく、具体的には、ナイロン（登録商標）樹脂等が挙げられる。また、前記導電性粒子としては特に限定されず、例えば、酸化スズ、酸化チタン、ケイ化モリブデン、炭化タングステン、カーボンブラック、炭素短繊維、グラファイト粒子等が挙げられる。
【００４３】
また、導電性を付与する他の方法としては、例えば、前記合成繊維等の表面に接着剤を介して前記導電性粒子を接着させる方法が挙げられる。この場合、前記接着剤としては特に限定されず、例えば、アクリル樹脂、ポリ酢酸ビニル、ポリウレタン、合成ゴムおよび天然ゴム等を主成分とする接着剤が挙げられる。また、前記導電性粒子が分散した高分子樹脂層を前記合成繊維等の表面に設ける方法等も挙げられる。この場合、前記高分子樹脂層としては、前記接着剤を主成分とするものが挙げられる。さらに、前記合成繊維等の表面の少なくとも一部に金属メッキ層を設ける方法が挙げられる。この場合、前記金属メッキ層としては特に限定されず、例えば、銅メッキ層、ニッケルメッキ層、金メッキ層、銀メッキ層等が挙げられる。
【００４４】
電気抵抗値の制御は、導電性粒子を用いた前記態様の場合、当該導電性粒子の配合量等を変更することにより可能である。また、金属メッキ層を用いた前記態様の場合、当該金属メッキ層を構成する材料の種類や厚さ等を変更することにより、電気抵抗値の制御が可能である。
【００４５】
ブラシ毛１３の植毛密度は、５，０００〜３０，０００本／ｃｍ２が好ましく、７，０００〜２０，０００本／ｃｍ２がより好ましい。前記植毛密度を５，０００本／ｃｍ２以上にすることにより、ブラシ部１４におけるクリーニング領域１４ａのクリーニング機能が低下するのを防止することができる。また、前記植毛密度を３０，０００本／ｃｍ２以下にすることにより、帯電ブラシ１０から残トナーが排出されるのを容易にし、当該帯電ブラシ１０のリフレッシュが簡便になる。その結果、帯電ブラシ１０の耐久性の向上が図れる。
【００４６】
前記ブラシ毛１３の長さは特に限定されず、潜像担持体とのニップ幅等を考慮して適宜設定することができる。但し、帯電ブラシ１０は、基材１１上の接着剤層１２に複数のブラシ毛１３が植毛された構成であるので、例えば、パイル織り生地構造の帯電ブラシと比較して、ブラシ毛１３の長さを短くしても、潜像担持体表面に接触させるブラシ毛１３の密度が実質的に低下することがない。ブラシ毛１３の長さを短くして、ニップ幅を小さくしても、帯電ブラシ１０のクリーニング性能や帯電性能を維持することができる。その結果、一層の省スペース化が図れる。ブラシ毛１３の長さは、通常は接着剤層１２に植毛されている根元部分から０．１ｍｍ〜５ｍｍの範囲内が好ましく、０．５ｍｍ〜３ｍｍの範囲内がより好ましい。また、前記ブラシ毛１３の太さ（直径、繊維径）は特に限定されず、用途等に応じて適宜設定することができる。例えば、ブラシ毛１３の直径は、５μｍ〜１００μｍ程度が好ましく、１０μｍ〜７０μｍがより好ましい。
【００４７】
前記ブラシ毛１３の平面視における断面形状は特に限定されず、例えば、円形状、楕円形状、角部にアールが設けられた多角形状等が挙げられる。
【００４８】
尚、本実施の形態の帯電ブラシを画像形成装置に設けるに際しては、例えば、図３に示すような構成で設けることも可能である。図３は、帯電ブラシ２０の概略構成を表す斜視図である。
【００４９】
同図に示す帯電ブラシ２０においては、基材１８における長手方向の端部１８ａが折返し部１８ｂで反対方向に折り返され、当該端部１８ａ上に接着剤層１２を介してブラシ部１４が設けられている。接着剤層１２は、基材１８上の全面に設けられていてもよいが、当該基材１８の端部１８ａ上にのみ形成されているのが好ましい。また、反対方向に折り返された端部１８ａの下方に位置する基材１８上には、第１弾性部材１６及び第２弾性部材１７がそれぞれ長手方向に延在する様に固定して設けられている。
【００５０】
基材１８としては、前述の基材１１と同一の材料からなるものや、異なる材料からなるものを用いることができるが、ゴムや合成樹脂等の弾性材料からなるものを用いるのがより好ましい。基材１８はブラシ毛１３の植毛の土台となるからである。
【００５１】
帯電ブラシ１０、２０の製造方法としては特に限定されず、公知の方法を採用することができる。具体的には、先ず、基材１１、１８上に接着剤を塗布して接着剤塗布層を形成する。次に、接着剤塗布層にブラシ毛１３の植毛を行う。植毛の方法については特に限定されず、静電植毛や、歯ブラシ等に見られる機械的な植毛によるものなどが挙げられる。静電植毛の場合、例えば、平板状の一対の電極間に直流高電圧を印加し、一方の電極上にブラシ毛１３をおいて帯電させる。また、基材１１は一対の電極間に接地され、かつ、電気的に接地しておく。これにより、電極間に生じた電界中でブラシ毛１３を電界中の電気力線の方向に沿って飛翔させ、ブラシ毛１３を接着剤塗布層に直立した状態で植設させる。その後、接着剤塗布層を任意の乾燥条件で乾燥させて接着剤層１２を形成する。これにより、本実施の形態の帯電ブラシ１０、２０を作製することができる。
【００５２】
＜画像形成装置＞
本実施の形態の帯電ブラシ１０を電子写真方式の画像形成装置に適用した場合、次の様に用いることができる。図４は、帯電ブラシ１０を備えた画像形成装置における画像形成部の構造を模式的に示す正面図であって、同図（ａ）は帯電ブラシ１０が現像装置に接続されている場合を表し、同図（ｂ）は帯電ブラシ１０が現像装置に設けられたトナーカートリッジに接続されている場合を表す。尚、画像形成装置は、当該画像形成装置が備えるスキャナにて読み込まれたデータや、画像形成装置に接続された外部機器（例えば、パーソナルコンピュータ等の画像処理装置）からのデータを画像として出力するものである。
【００５３】
図４（ａ）に示すように、画像形成部４０は、潜像担持体としての感光体ドラム２１と、帯電ブラシ１０と、露光装置２２と、現像装置２３と、転写ロール２４と、搬送ベルト２５と、帯電制御装置２６とを少なくとも備えている。感光体ドラム２１の周囲には、同図（ａ）の矢印で示す回転方向に沿って、帯電ブラシ１０、露光装置２２、現像装置２３、転写ロール２４、搬送ベルト２５、帯電制御装置２６がこの順序で配置された構成となっている。
【００５４】
感光体ドラム２１は、画像形成装置における静電潜像担持体および感光体となるものであり、円柱形状を有している。
【００５５】
露光装置２２は、帯電ブラシ１０によって帯電された感光体ドラム２１の表面を、例えばパーソナルコンピュータ等の画像処理装置からのデータに基づき、レーザー光等により露光して、感光体ドラム２１の表面に静電潜像を形成させるためのものである。露光装置２２として、例えば半導体レーザーや発光ダイオードを用いることができる。
【００５６】
現像装置２３は、感光体ドラム２１の表面にトナーを供給し、感光体ドラム２１の表面に形成された静電潜像をトナー像として顕像化し現像するためのものである。現像装置２３では、ハウジング２３ｃ内に設けられたトナー供給ロール２３ａから、現像ロール２３ｂにトナーが一定厚さに供給され、この現像ロール２３ｂが感光体ドラム２１に当接することにより、感光体ドラム２１の表面にトナーが供給される。
【００５７】
搬送ベルト２５は、感光体ドラム２１の表面にトナー像が形成された後に、記録媒体２７を感光体ドラム２１に運搬する。
【００５８】
転写ロール２４は、感光体ドラム２１の表面のトナー像を、転写材である記録媒体２７に転写するためのものであり、板金の面方向と記録媒体２７の面方向とを平行にして、搬送ベルト２５を間に挟んで感光体ドラム２１と隣接対向するように設置されている。尚、記録媒体２７は、例えば用紙、ＯＨＰ等である。転写ロール２４は、例えば、ウレタンゴムロールからなっている。
【００５９】
帯電制御装置２６は、転写後の感光体ドラム２１の残存している正極性および負極性の残存トナーを例えば全てが負極性になるように帯電制御している。尚、帯電制御装置２６は省略することも可能である。
【００６０】
帯電ブラシ１０は、ブラシ部１４のブラシ毛１３が感光体ドラム２１の表面に当接した状態で、現像装置２３に接続して設けられている。より具体的には、帯電ブラシ１０における基材１８が現像装置２３のハウジング２３ｃに一体的に接続して設けられている。但し、帯電ブラシ１０は低コストに製造可能であるため、現像装置２３に対し着脱自在な帯電ユニットとして構成されていてもよい。さらに、帯電ブラシ１０はハウジング２３ｃと一体となる様に構成されていてもよい。この場合、現像装置２３自体が画像形成装置に着脱可能な構成とすることもできる。
【００６１】
本実施の形態では、帯電ブラシ１０は残トナー等を捕集するクリーニング領域１４ａを備えることから、いわゆる、感光体ドラム２１の表面に残留する未転写のトナー粒子やトナーへの外添剤などを除去するためのクリーニング部材を別途設ける必要がない。そのため、潜像担持体に対する機械的ストレスの低減が図れ、長寿命化を可能にすると共に、感光体ドラム２１を傷付けることによる画像欠陥や摩耗による感度の劣化、帯電性の劣化、電荷リークによる画像濃度低下及び地肌汚れ等の異常画像の低減も可能になる。さらに、クリーニング部材の設置を不要とするので、クリーナーレス方式により電子写真プロセスを実行可能にしている。
【００６２】
ここで、クリーナーレス方式については、例えば、散らし通過型、一時捕捉型及び併用型がある。しかし、本実施の形態の帯電ブラシ１０は何れの方式にも適用可能である。散らし通過型の場合、クリーニング領域１４ａのブラシ毛１３を散らし部材として、感光体ドラム２１上の残トナー等を引っ掻くことで、残トナー等と感光体ドラム２１との付着力を低下させる。そして、その後、現像ロール２３ｂと感光体ドラム２１とが対向する現像領域において、感光体ドラム２１上の残トナー等を現像ロール２３ｂに静電転移させることで、現像装置２３内に回収することができる。
【００６３】
一時捕捉型の場合、クリーニング領域１４ａのブラシ毛１３は捕捉部材として、感光体ドラム２１上の残トナー等を一時的に捕捉する。そして、プリントジョブ終了後やプリントジョブ間の紙間タイミングなどにおいて、捕捉した残トナー等を吐き出させて感光体ドラム２１に再転移させた後、現像ロール２３ｂに静電転移させて、現像装置２３内に回収する。前述の散らし通過型では、ベタ画像形成時やジャム発生後など、残トナーが大量に発生してしまう場合に現像装置２３への回収能力を超えて画像劣化を引き起こすおそれがある。しかし、本実施の形態の帯電ブラシ１０を一時捕捉型に適用した場合には、クリーニング領域１４ａのブラシ毛で捕捉した残トナー等を現像装置２３に少しずつ回収することで、画像劣化を抑制することができる。
【００６４】
併用型では、散らし通過型と一時捕捉型を併用する。具体的には、クリーニング領域１４ａのブラシ毛１３に、散らし部材と捕捉部材の機能を併用させる。即ち、クリーニング領域１４ａに直流電圧のみを印加することで、クリーニング領域１４ａのブラシ毛１３を散らし部材として機能させる一方で、必要に応じてバイアスを直流電圧から重畳電圧に切り換えることで、クリーニング領域１４ａのブラシ毛１３を捕捉部材として機能させる。
【００６５】
また、本実施の形態の帯電ブラシ１０は、図４（ｂ）に示すように、現像装置２３のカートリッジ装着部に着脱可能に設けられたトナーカートリッジ４３と一体的に設けられていてもよい。この場合、帯電ブラシ１０はトナーカートリッジ４３に対し着脱自在な帯電ユニットとして構成されていてもよい。
【００６６】
（実施の形態２）
本実施の形態２について、図５及び図６に基づき以下に説明する。なお、前記実施の形態１の帯電ブラシと同様の機能を有する構成要素については、同一の符号を付してその説明を省略する。
【００６７】
図５に示すように、本実施の形態の帯電ブラシは、実施の形態１の帯電ブラシ１０と比較して、クリーニング領域１４ａに対応する位置に第２弾性部材１７が設けられ、帯電領域１４ｂに対応する位置に第１弾性部材１６が設けられている点が異なる。これにより、クリーニング領域１４ａにおけるブラシ毛１３の潜像担持体に対する押圧力を、帯電領域１４ｂにおけるブラシ毛１３の潜像担持体に対する押圧力よりも大きくすることができる。クリーニング領域１４ａのブラシ毛の押圧力を大きくすることにより、潜像担持体表面に付着している残トナーや外添剤等の付着物を一層除去することが可能になる。これにより、帯電領域１４ｂでの残トナー等による汚染の低減が図れる。
【００６８】
また、クリーニング領域１４ａにおけるブラシ毛１３の押圧力を大きくすることで、残トナー等に対する電荷注入の性能も向上させることができる。ここで、電荷注入される残トナー等の電荷極性とブラシ部の電荷極性は同一となるので、下流側の帯電領域１４ｂにおいては残トナー等の付着量の抑制が可能になる。その結果、ブラシ部の帯電性能の低下を抑制することができる。
【００６９】
また、本実施の形態に於いても、図６に示すように、帯電ブラシ２０において、基材１８における長手方向の端部１８ａが折返し部１８ｂで反対方向に折り返され、当該端部１８ａ上に接着剤層１２を介してブラシ部１４が設けられている構成を採用することもできる。
【００７０】
（その他の事項）
各実施の形態においては、押圧部材として第１弾性部材１６及び第２弾性部材１７を用いた場合を例にして説明したが、本発明はこれらに限定されるものではない。
例えば、押圧部材として、短手方向において一方の端部から他方の端部に向かうに従い傾斜した、傾斜面を有する１つの弾性部材を用いてもよい。これにより、上流側から下流側に向かうに従い、あるいは下流側から上流側に向かうに従い、連続的に押圧力を変化させることができる。尚、傾斜面の傾斜角は特に限定されず、ブラシ毛により潜像担持体に加えたい押圧力に応じて適宜設定することができる。
【符号の説明】
【００７１】
１０、２０  帯電ブラシ
１１  基材
１２  接着剤層
１３  ブラシ毛
１４  ブラシ部
１４ａ  クリーニング領域
１４ｂ  帯電領域
１６  第１弾性部材
１７  第２弾性部材
１８  基材
１８ａ  端部
１８ｂ  折り返し部
２１  感光体ドラム（潜像担持体）
２２  露光装置
２３  現像装置
２３ａ  トナー供給ロール
２３ｂ  現像ロール
２３ｃ  ハウジング
２４  転写ロール
２５  搬送ベルト
２６  帯電制御装置
２７  記録媒体
４０  画像形成部
４３  トナーカートリッジ
【図１】
2016161902.tif 000003
【図２】
2016161902.tif 000004
【図３】
2016161902.tif 000005
【図４】
2016161902.tif 000006
【図５】
2016161902.tif 000007
【図６】
2016161902.tif 000008